(57)【要約】      （修正有）【課題】地震等の災害時、濾過した水を迅速に供給することができる濾過貯水タンクを提供する。【解決手段】濾過貯水タンクＴは、タンク本体１と、タンク本体１内に水を供給する水供給部１ｃ１と、タンク本体１内であって、水供給部１ｃ１に臨むように設けられると共に、前記水を濾過する濾過体と、この濾過体の垂直方向は、タンク本体１の底部１ｂからタンク本体１の頂部１ｃに亘って設けられ、濾過体の収納壁、タンク本体１の胴部１ａの内壁及びタンク本体１の底部１ｂの内壁に囲まれた空間内に、濾過体の濾過部を通過した水を貯留する水貯留部が形成され、濾過体内の水をタンク本体１内に排出する濾過部排出口を収納壁に設け、タンク本体１に接続されると共に、タンク本体１内の水をタンク本体１の外へと排出する水排出通路と、この水排出通路を開閉する開閉手段とを備えているものである。【選択図】図５
0003138762.tif 000002
【実用新案登録請求の範囲】
【請求項１】
胴部と、この胴部の下面を閉塞する底部と、前記胴部の上面を閉塞する頂部とを有するタンク本体と、
前記頂部に設けられると共に、前記タンク本体内に水を供給する水供給部と、
この水供給部に臨むように前記タンク本体内に設けられると共に、前記水を濾過する濾過体と、
この濾過体は、内部に水を濾過する濾過部と、この濾過部を収納する収納壁とを有し、
前記濾過体の垂直方向は、前記タンク本体の前記底部から前記タンク本体の前記頂部に亘って設けられ、前記収納壁、前記タンク本体の前記胴部の内壁及び前記タンク本体の前記底部の内壁に囲まれた空間内に、前記濾過部を通過した水を貯留する水貯留部が形成され、
前記濾過体内の水を前記タンク本体内に排出する濾過部排出口を前記収納壁に設け、
前記タンク本体に接続されると共に、前記タンク本体内の水を前記タンク本体の外へと排出する水排出通路と、
この水排出通路を開閉する開閉手段と、
を備えていることを特徴とする濾過貯水タンク。
【請求項２】
水供給部はタンク本体の頂部に設けられた水供給開口部であり、
この水供給開口部を開閉する蓋とを備えている
ことを特徴とする請求項１記載の濾過貯水タンク。
【請求項３】
水供給部は、水道水を供給する水道供給部に着脱自在な接続管を介して接続され、
水排出通路は、第１の水排出通路と第２の水排出通路とを有し、
開閉手段は、前記第１の水排出通路を開閉する第１の開閉手段と前記第２の水排出通路を開閉する第２の開閉手段とを有し、
前記第２の水排出通路のタンク本体の接続口である第２の接続口の前記タンク本体の底部の最下部からの垂直方向の高さは、前記第１の水排出通路のタンク本体の接続口である第１の接続口の前記タンク本体の底部の最下部からの垂直方向の高さより高い位置にあり、
前記第２の水排出通路のタンク本体の接続口である第２の接続口の前記タンク本体の底部の最下部からの垂直方向の高さは、濾過部排出口の前記タンク本体の前記底部の最下部からの垂直方向の高さより高い位置にあり、
前記第２の開閉手段により前記第２の水排出通路を開、前記第１の開閉手段により前記第１の水排出通路を閉として、前記水供給部からの水道水を濾過部、前記濾過部排出口
、前記第２の接続口を介して、前記第２の水排出通路に導くようにする
ことを特徴とする請求項１記載の濾過貯水タンク。
【請求項４】
水排出通路は、第１の水排出通路と第２の水排出通路とを有し、
開閉手段は、前記第１の水排出通路を開閉する第１の開閉手段と前記第２の水排出通路を開閉する第２の開閉手段とを有し、
前記第２の水排出通路のタンク本体の接続口である第２の接続口の前記タンク本体の底部の最下部からの垂直方向の高さは、前記第１の水排出通路のタンク本体の接続口である第１の接続口の前記タンク本体の底部の最下部からの垂直方向の高さより高い位置にあり、
前記第２の水排出通路のタンク本体の接続口である第２の接続口の前記タンク本体の底部の最下部からの垂直方向の高さは、濾過部排出口の前記タンク本体の前記底部の最下部からの垂直方向の高さより高い位置にあり、
前記第１の開閉手段により前記第１の水排出通路を開として、濾過部で濾過した水を前記第１の水排出通路に導くようにする
ことを特徴とする請求項１記載の濾過貯水タンク。
【請求項５】
水排出通路は、第１の水排出通路と第２の水排出通路とを有し、
開閉手段は、前記第１の水排出通路を開閉する第１の開閉手段と前記第２の水排出通路を開閉する第２の開閉手段とを有し、
前記第２の水排出通路のタンク本体の接続口である第２の接続口の前記タンク本体の底部の最下部からの垂直方向の高さは、前記第１の水排出通路のタンク本体の接続口である第１の接続口の前記タンク本体の底部の最下部からの垂直方向の高さより高い位置にあり、
前記第２の水排出通路のタンク本体の接続口である第２の接続口の前記タンク本体の底部の最下部からの垂直方向の高さは、濾過部排出口の前記タンク本体の前記底部の最下部からの垂直方向の高さより高い位置にあり、
前記タンク本体内の水位が前記第２の接続口より低い状態で、前記第２の開閉手段により前記第２の水排出通路を開、前記第１の開閉手段により前記第１の水排出通路を開として、濾過部で濾過した水を前記第１の水排出通路に導くようにする
ことを特徴とする請求項１記載の濾過貯水タンク。
【請求項６】
収納壁は、筒体であって、前記筒体の一方の端部はタンク本体の底部に、前記筒体の他方の端部は前記タンク本体の頂部に、それぞれ接合されている
ことを特徴とする請求項１記載の濾過貯水タンク。
【考案の詳細な説明】
【技術分野】
【０００１】
本考案は、濾過貯水タンクに係り、特に、水道水の供給ができない故障時又は地震等の災害時、濾過した水を迅速に供給することができる濾過貯水タンクに関する。
【背景技術】
【０００２】
従来、水を濾過する濾過タンクがある（例えば、特許文献１参照）。この濾過タンクは、濾過することにしか着目がなされていないため、水を濾過する濾材がタンク本体内の全体に亘って配置されている。
そのため、上述した濾過タンクにあっては、例えば、水道水の供給ができない故障時又は地震等の災害時、水道水の濾過タンクへ水道水の供給が停止すると、濾過された水の供給が停止するという問題点が生じた。
【考案の開示】
【考案が解決しようとする課題】
【０００３】
本考案は、前記した問題点を解決するためになされた濾過貯水タンクを提供することを目的としている。
【課題を解決するための手段】
【０００４】
前記した目的を達成するための請求項１記載の濾過貯水タンクは、胴部と、この胴部の下面を閉塞する底部と、前記胴部の上面を閉塞する頂部とを有するタンク本体と、前記頂部に設けられると共に、前記タンク本体内に水を供給する水供給部と、この水供給部に臨むように前記タンク本体内に設けられると共に、前記水を濾過する濾過体と、この濾過体は、内部に水を濾過する濾過部と、この濾過部を収納する収納壁とを有し、前記濾過体の垂直方向は、前記タンク本体の前記底部から前記タンク本体の前記頂部に亘って設けられ、前記収納壁、前記タンク本体の前記胴部の内壁及び前記タンク本体の前記底部の内壁に囲まれた空間内に、前記濾過部を通過した水を貯留する水貯留部が形成され、前記濾過体内の水を前記タンク本体内に排出する濾過部排出口を前記収納壁に設け、前記タンク本体に接続されると共に、前記タンク本体内の水を前記タンク本体の外へと排出する水排出通路と、この水排出通路を開閉する開閉手段とを備えているものである。
【０００５】
また、請求項２記載の濾過貯水タンクは、請求項１記載の濾過貯水タンクにおいて、水供給部はタンク本体の頂部に設けられた水供給開口部であり、この水供給開口部を開閉する蓋とを備えているものである。
【０００６】
また、請求項３記載の濾過貯水タンクは、請求項１記載の濾過貯水タンクにおいて、水供給部は、水道水を供給する水道供給部に着脱自在な接続管を介して接続され、水排出通路は、第１の水排出通路と第２の水排出通路とを有し、開閉手段は、前記第１の水排出通路を開閉する第１の開閉手段と前記第２の水排出通路を開閉する第２の開閉手段とを有し、前記第２の水排出通路のタンク本体の接続口である第２の接続口の前記タンク本体の底部の最下部からの垂直方向の高さは、前記第１の水排出通路のタンク本体の接続口である第１の接続口の前記タンク本体の底部の最下部からの垂直方向の高さより高い位置にあり、前記第２の水排出通路のタンク本体の接続口である第２の接続口の前記タンク本体の底部の最下部からの垂直方向の高さは、濾過部排出口の前記タンク本体の前記底部の最下部からの垂直方向の高さより高い位置にあり、前記第２の開閉手段により前記第２の水排出通路を開、前記第１の開閉手段により前記第１の水排出通路を閉として、前記水供給部からの水道水を濾過部、前記濾過部排出口、前記第２の接続口を介して、前記第２の水排出通路に導くようにするものである。
【０００７】
また、請求項４記載の濾過貯水タンクは、請求項１記載の濾過貯水タンクにおいて、水排出通路は、第１の水排出通路と第２の水排出通路とを有し、開閉手段は、前記第１の水排出通路を開閉する第１の開閉手段と前記第２の水排出通路を開閉する第２の開閉手段とを有し、前記第２の水排出通路のタンク本体の接続口である第２の接続口の前記タンク本体の底部の最下部からの垂直方向の高さは、前記第１の水排出通路のタンク本体の接続口である第１の接続口の前記タンク本体の底部の最下部からの垂直方向の高さより高い位置にあり、前記第２の水排出通路のタンク本体の接続口である第２の接続口の前記タンク本体の底部の最下部からの垂直方向の高さは、濾過部排出口の前記タンク本体の前記底部の最下部からの垂直方向の高さより高い位置にあり、前記第１の開閉手段により前記第１の水排出通路を開として、濾過部で濾過した水を前記第１の水排出通路に導くようにするものである。
【０００８】
また、請求項５記載の濾過貯水タンクは、請求項１記載の濾過貯水タンクにおいて、水排出通路は、第１の水排出通路と第２の水排出通路とを有し、開閉手段は、前記第１の水排出通路を開閉する第１の開閉手段と前記第２の水排出通路を開閉する第２の開閉手段とを有し、前記第２の水排出通路のタンク本体の接続口である第２の接続口の前記タンク本体の底部の最下部からの垂直方向の高さは、前記第１の水排出通路のタンク本体の接続口である第１の接続口の前記タンク本体の底部の最下部からの垂直方向の高さより高い位置にあり、前記第２の水排出通路のタンク本体の接続口である第２の接続口の前記タンク本体の底部の最下部からの垂直方向の高さは、濾過部排出口の前記タンク本体の前記底部の最下部からの垂直方向の高さより高い位置にあり、前記タンク本体内の水位が前記第２の接続口より低い状態で、前記第２の開閉手段により前記第２の水排出通路を開、前記第１の開閉手段により前記第１の水排出通路を開として、濾過部で濾過した水を前記第１の水排出通路に導くようにするものである。
【０００９】
また、請求項６記載の濾過貯水タンクは、請求項１記載の濾過貯水タンクにおいて、収納壁は、筒体であって、前記筒体の一方の端部はタンク本体の底部に、前記筒体の他方の端部は前記タンク本体の頂部に、それぞれ接合されているものである。
【考案の効果】
【００１０】
請求項１記載の濾過貯水タンクによれば、濾過体の収納壁、タンク本体の胴部の内壁及び前記タンク本体の底部の内壁に囲まれた空間内に、濾過体の濾過部を通過した水を貯留することができるため、水排出通路を開閉手段により開とすれば、例えば、水道水の供給ができない故障時又は地震等の災害時、濾過部を通過した水を迅速に供給することができる。
【００１１】
また、請求項２記載の濾過貯水タンクによれば、上述した請求項１記載の考案の効果に加え、水供給部はタンク本体の頂部に設けられた水供給開口部であり、この水供給開口部を開閉する蓋とを備えているため、例えば、水道水の供給ができない故障時又は地震等の災害時、貯留する水が不足する場合、水供給開口部から水を供給すると共に、水を供給した後は、水供給開口部に蓋をして、濾過した水を簡易に貯留することができ、また、蓋を水供給開口部から取れば、再度、水供給開口部から水を供給することができる。
【００１２】
また、請求項３記載の濾過貯水タンクによれば、上述した請求項１記載の考案の効果に加え、第２の水排出通路のタンク本体の接続口である第２の接続口の前記タンク本体の底部の最下部からの垂直方向の高さは、第１の水排出通路のタンク本体の接続口である第１の接続口の前記タンク本体の前記底部の最下部からの垂直方向の高さより高い位置に、第２の水排出通路のタンク本体の接続口である第２の接続口の前記タンク本体の底部の最下部からの垂直方向の高さは、濾過部排出口の前記タンク本体の前記底部の最下部からの垂直方向の高さより高い位置に、それぞれあり、水供給部は、水道水を供給する水道供給部に着脱自在な接続管を介して接続し、第２の開閉手段により前記第２の水排出通路を開、第１の開閉手段により前記第１の水排出通路を閉として、水供給部からの水道水を濾過部、濾過部排出口、前記第２の接続口を介して、前記第２の水排出通路に導くようにするため、タンク本体内の水の滞留を防止して、新鮮な水を供給することができる。
【００１３】
また、請求項４記載の濾過貯水タンクによれば、上述した請求項１記載の考案の効果に加え、水道水の供給ができない故障時又は地震等の災害時、第１の開閉手段により第１の水排出通路を開として、前記第１の水排出通路を介して供給するため、第１の接続口が第２の接続口より低い分、第２の水排出通路の開状態に比べ、タンク本体内の水の残存量を少なくして、タンク本体内の水を多く排出することができる。
【００１４】
また、請求項５記載の濾過貯水タンクによれば、上述した請求項１記載の考案の効果に加え、水道水の供給ができない故障時又は地震等の災害時、第１の開閉手段により第１の水排出通路を開として、前記第１の水排出通路を介して供給するため、第１の接続口が第２の接続口より低い分、第２の水排出通路の開状態に比べ、タンク本体内の水の残存量を少なくして、タンク本体内の水を多く排出することができ、タンク本体内の水位が第２の接続口より低い状態で、第２の水排出通路が開状態となっているため、第２の水排出通路を介してタンク本体内が大気圧と同じとなり、第１の水排出通路を介しての水の供給をスムーズに行うことができる。
【００１５】
また、請求項６記載の濾過貯水タンクによれば、上述した請求項１記載の考案の効果に加え、収納壁は、筒体であって、前記筒体の一方の端部はタンク本体の底部に、前記筒体の他方の端部は前記タンク本体の頂部に、それぞれ接合されているため、筒体は、濾過部を収納する収納機能の他に、タンク本体の強度を補強する補強機能（構造部材）をも有する。
【考案を実施するための最良の形態】
【００１６】
本考案の一実施例を図面を参照して説明する。
図１〜図７において、Ｔは濾過貯水タンクで、濾過貯水タンクＴは、概略的に、タンク本体１と、このタンク本体１内に設けられた濾過体２と、タンク本体１内の水をタンク本体１の外へと排出する水排出通路３とから構成されている。
タンク本体１は、胴部１ａと、この胴部１ａの下面を閉塞する底部１ｂと、胴部１ａの上面を閉塞する頂部１ｃとを有している。
なお、底部１ｂは、下向きに開口する凹形状を有しているため、タンク本体１の強度の向上を図ることができると共に、安定して載置されるようになっている。また、頂部１ｃには、タンク本体１内に水を供給する水供給部１ｃ１が設けられている。水供給部１ｃ１は、例えば、頂部１ｃに設けられた水供給開口部である。この水供給部１ｃ１は、水道水を供給する水道供給部１０（図５参照）に着脱自在な接続管２０（図１及び図５参照）を介して接続されている。
【００１７】
濾過体２は、水供給部１ｃ１に臨むようにタンク本体１内に設けられると共に、水を濾過するものである。また、濾過体２の垂直方向は、タンク本体１の底部１ｂからタンク本体１の頂部１ｃに亘って設けられている。また、濾過体２は、内部に水を濾過する濾過部２１と、この濾過部２１を収納する収納壁２２とを有し、２３は収納壁２２に複数設けられた濾過部排出口で、濾過部排出口２３は、濾過体２内の水をタンク本体１内に排出するものである。
濾過部２１は、濾材を積層したもので、濾材は、例えば、上から下に向かって、順次、ステンレスタワシ２１ａ、木炭（望ましくは、備長炭）２１ｂ、ステンレスタワシ２１ｃ（ステンレスタワシ２１ｃは、ステンレスタワシ２１ａより密の状態となっている。）が積層されている。
なお、濾過体２は、タンク本体１内に着脱自在に装着されるもので、図２乃至図４に示すように、例えば、タンク本体１の底部１ｂに雌ネジ１ｂ１、濾過体２に雌ネジ１ｂ１に螺合する雄ネジ２４を、それぞれ設けるようにしたもので、濾過体２の先端は頂部１ｃに当接するようにする（図１参照）。図２及び図４に示すＰは、パッキンであり、２５は濾過体２をタンク本体１に装着する際の摘みである。
従って、濾過貯水タンクＴ内には、図１に示すように、収納壁２２、胴部１ａの内壁及び底部１ｂの内壁に囲まれた空間内に、濾過部２１を通過した水を貯留する水貯留部Ｓが形成されることとなる。
【００１８】
タンク本体１に接続される水排出通路３は、図１に示すように、第１の水排出通路３１と第２の水排出通路３２とを有し、また、水排出通路３を開閉する開閉手段４は、第１の水排出通路３１を開閉する第１の開閉手段（例えば、バルブ）４１と第２の水排出通路を開閉する第２の開閉手段（例えば、バルブ）４２とを有している。
第１の水排出通路３１のタンク本体１の接続口は第１の接続口１ａ１であり、この第１の接続口１ａ１のタンク本体１の底部１ｂの最下部からの垂直方向の高さは、Ｈ1 である。
また、第２の水排出通路３２のタンク本体１の接続口は第２の接続口１ａ２であり、この第２の接続口１ａ２のタンク本体１の底部１ｂの最下部からの垂直方向の高さは、Ｈ2である。
また、濾過部排出口２３のタンク本体１の底部１ｂの最下部からの垂直方向の高さはＨ 3であり、Ｈ3＜Ｈ1＜Ｈ2の関係となっている。
【００１９】
従って、上述した濾過貯水タンクＴによれば、水道水供給部１０からの水道水が接続管２０、水供給部１ｃ１を介してタンク本体１内に導かれると共に、濾過体２で濾過され、濾過体２の収納壁２２、タンク本体１の胴部１ａの内壁及びタンク本体１の底部１ｂの内壁に囲まれた空間、つまり、水貯留部Ｓ内に、濾過体２の濾過部２１を通過した水を貯留することができる。そのため、水排出通路３１、３２を開閉手段４１、４２により開とすれば、濾過体２で濾過された水を水排出通路３１、３２から供給することができる。
特に、例えば、水道水の供給ができない故障時又は地震等の災害時、水貯留部Ｓ内に濾過体２の濾過部２１を通過した水を貯留しているため、濾過部２１を通過した水を迅速に供給することができる。
【００２０】
また、地震等の災害時、濾過貯水タンクＴが設置されている場所から適宜の場所への移動は、水供給部１ｃ１と接続管２０との接続を解除して容易に行うことができる。かかる場合には、水供給開口部１ｃ１を開閉する蓋３０（図６参照）を使用して、水供給開口部１ｃ１を閉じて濾過貯水タンクＴを移動するのが良い。
また、例えば、水道水の供給ができない故障時又は地震等の災害時、貯留する水が不足する場合、図７に示すように、容器４０から直接水供給開口部１ｃ１を介して濾過貯水タンクＴ内に水を供給しても良いし、漏斗５０を介して水供給開口部１ｃ１を介して濾過貯水タンクＴ内に水を供給しても良い。
その結果、水供給開口部１ｃ１から供給された「濾過する必要がある水」を簡易に濾過し、濾過貯水タンクＴ内に貯留することができる。
【００２１】
なお、第２の水排出通路３２のタンク本体１の接続口である第２の接続口１ａ２のタンク本体１の底部１ｂの最下部からの垂直方向の高さＨ2 は、第１の水排出通路３１のタンク本体１の接続口である第１の接続口１ａ１の底部１ｂの最下部からの垂直方向の高さＨ1 より高い位置に、第２の接続口１ａ２のタンク本体１の底部１ｂの最下部からの垂直方向の高さＨ2 は、濾過部排出口２３のタンク本体１の底部１ｂの最下部からの垂直方向の高さＨ3 より高い位置に、それぞれあり、水供給部１ｃ１は、水道水を供給する水道供給部１０に着脱自在な接続管２０を介して接続し、第２の開閉手段４２により第２の水排出通路３２を開、第１の開閉手段４１により第１の水排出通路３１を閉として、水供給部１ｃ１からの水道水を濾過部２１、濾過部排出口２３、第２の接続口１ａ２を介して、第２の水排出通路３２に導くようにするため、タンク本体１内の水の滞留を防止して、新鮮な水を供給することができる（図５参照）。
【００２２】
また、水道水の供給ができない故障時又は地震等の災害時、第１の開閉手段４１により第１の水排出通路３１を開として、第１の水排出通路３１を介して供給するため、第１の接続口１ａ１が第２の接続口１ａ２より低い分、第２の水排出通路３２の開状態に比べ、タンク本体１内の水の残存量を少なくして、タンク本体１内の水を多く排出することができる。
更に、タンク本体１内の水位が第２の接続口１ａ２より低い状態で、第２の水排出通路３２を開状態とすれば、タンク本体１内が大気圧と同じとなり、第１の水排出通路３１を介しての水の供給をスムーズに行うことができる（図６参照）。
【００２３】
なお、上述した実施例の濾過体２の収納壁２２をタンク本体１の底部１ｂとタンク本体１の頂部１ｃとにそれぞれ接合するようにしても良い（図８参照）。なお、この実施例においては、上述した実施例と同一部分に同一符号を図８に付して、その説明を一部省略している。
即ち、収納壁２２は、筒体であって、この筒体の一方の端部はタンク本体１の底部１ｂに、前記筒体の他方の端部はタンク本体１の頂部１ｃに、それぞれ接合（接合は、例えば、溶接）されている。
そのため、前記筒体は、濾過部２１を収納する収納機能と、タンク本体１の強度を補強する補強機能（構造部材）とを備えることができる。
なお、２５’は、前記筒体内に濾過部２１を出し入れする蓋であり、この蓋２５’には雄ネジが、前記筒体の内壁には、前記雄ネジに螺合する雌ネジが、それぞれ設けられている。Ｐ’は、前記筒体の内壁に設けられた雌ネジと蓋２５’に設けられた雄ネジとの螺合状態をシールするパッキンである。
【図面の簡単な説明】
【００２４】
【図１】図１は、本考案の一実施例の濾過貯水タンクの概略的正面一部断面図である。
【図２】図２は、図１の一部を拡大して示す概略的一部拡大断面図である。
【図３】図３は、図１の概略的底面図である。
【図４】図４は、図１のタンク本体に濾過体を装着する状態を示す概略的図である。
【図５】図５は、図１の濾過貯水タンクに水道水を供給すると共に、第２の水排出通路から水を排出する状態を示す概略的正面一部断面図である。
【図６】図６は、災害時、図５の濾過貯水タンクに水道水の供給を停止すると共に、図１の水供給開口部に蓋をし、第１の水排出通路から水を排出する状態を示す概略的正面一部断面図である。
【図７】図７は、図６の蓋を外し、タンク本体の水供給開口部からタンク本体内へ水を供給する状態を示す概略的正面図である。
【図８】図８は、図１の靴濾過貯水タンクと異なる他の実施例の概略的正面一部断面図である。
【符号の説明】
【００２５】
Ｔ        濾過貯水タンク
１        タンク本体
１ａ      胴部
１ｂ      底部
１ｃ      頂部
１ｃ１    水供給部
２        濾過体
２１      濾過部
２２      収納壁
３        水排出通路
４        開閉手段
【図１】
0003138762.tif 000003
【図２】
0003138762.tif 000004
【図３】
0003138762.tif 000005
【図４】
0003138762.tif 000006
【図５】
0003138762.tif 000007
【図６】
0003138762.tif 000008
【図７】
0003138762.tif 000009
【図８】
0003138762.tif 000010